(57)【要約】【課題】  折畳未使用状態の米袋内部に米を投入して小売り用の米袋とする際の作業負担を低減し得る米袋を提供する。【解決手段】  袋本体１の上部側に設けられた上方開口部を紐にて結束して閉じて形成される取手部と、袋本体１の底部側に設けられると共に米を投入可能な下方開口部５と、下方開口部５を貼着にて閉鎖する閉鎖底蓋部６と、を備える。さらに、閉鎖底蓋部６は、米を支持する補強支持蓋部14と、展開使用状態で補強支持蓋部14に外側から貼着されて下方開口部５を塞ぐ外蓋部19と、を有する。かつ、補強支持蓋部14は、折畳未使用状態で折り畳まれると共に展開使用状態で相互に係合されて米支持面を形成する係合壁面部16，16を有するものである。【選択図】  図４
0003110626.tif 000002
【実用新案登録請求の範囲】
【請求項１】
袋本体（１）の上部側に設けられた上方開口部（２）を紐（３）にて結束して閉じて形成される取手部（４）と、該袋本体（１）の底部側に設けられると共に米を投入可能な下方開口部（５）と、該下方開口部（５）を貼着にて閉鎖する閉鎖底蓋部（６）と、を備え、
上記閉鎖底蓋部（６）は、米を支持する補強支持蓋部（14）と、展開使用状態で該補強支持蓋部（14）に外側から貼着されて上記下方開口部（５）を塞ぐ外蓋部（19）と、を有し、  
上記補強支持蓋部（14）は、折畳未使用状態で折り畳まれると共に展開使用状態で相互に係合されて米支持面（15）を形成する係合壁面部（16）を有することを特徴とする米袋。
【考案の詳細な説明】
【技術分野】
【０００１】
本考案は、米袋に関する。
【背景技術】
【０００２】
一般に、小売りされている米は紙や樹脂フィルムからなる米袋に封入されて販売されている。そして、その中には、米袋に設けられた上方開口部を紐にて結束して閉じる構造の米袋も使用されている（例えば、特許文献１参照）。
特許文献１には、筒状の側壁の下縁に円形の底壁を縫着させた形態の袋本体の上部に水平方向に紐の挿通筒を設け、米を内部に投入した後、紐で上方開口部を結束して閉じる米袋が開示されている。
米袋の上方開口部は、小売りされた米袋を購入した客が、家で米袋内部の米を他の容器に移すときに使用するために設けられている。また、紐で上方開口部を閉じる構造とすることによって、米袋内部へのゴミの侵入を防止すると共に米袋の上方開口部の開閉を繰り返し行うことができる。
このような米袋は折畳未使用状態で流通され、流通過程に於て、米屋や卸業者等によって内部に米が投入される。
【特許文献１】特開平１０−２７８９４２号公報
【考案の開示】
【考案が解決しようとする課題】
【０００３】
しかしながら、上記特許文献１に開示されたような構造の米袋では、米屋や卸業者等の業者は、折畳未使用状態の米袋の上方開口部から米を内部に投入した後、上方開口部を紐にて結束して閉じることによって小売り用の米袋とする必要があった。この上方開口部を紐にて結束して閉じる作業は、機械化することが困難であったので、人力にて作業を行なう必要があった。この作業は、人が行なうには手間がかかるものであった。その結果、従来では、米袋内部に米を投入する業者の作業負担が大きなものとなり、作業時間や人件費が増大する要因となっていた。      
そこで、本考案は、折畳未使用状態の米袋内部に米を投入して小売り用の米袋とする際の作業負担を低減し得る米袋を提供することを目的とする。
【課題を解決するための手段】
【０００４】
上述の目的を達成するために、本考案に係る米袋は、袋本体の上部側に設けられた上方開口部を紐にて結束して閉じて形成される取手部と、該袋本体の底部側に設けられると共に米を投入可能な下方開口部と、該下方開口部を貼着にて閉鎖する閉鎖底蓋部と、を備え、上記閉鎖底蓋部は、米を支持する補強支持蓋部と、展開使用状態で該補強支持蓋部に外側から貼着されて上記下方開口部を塞ぐ外蓋部と、を有し、上記補強支持蓋部は、折畳未使用状態で折り畳まれると共に展開使用状態で相互に係合されて米支持面を形成する係合壁面部を有するものである。
【考案の効果】
【０００５】
本考案に係る米袋によれば、従来、折畳未使用状態の米袋内部に米を投入して小売り用の米袋とする際に、米袋の紐を結束する作業を行なう必要があった業者の作業負担を低減することができ、作業時間の短縮と人件費の削減を図ることができる。
また、米袋に収納された米の重量による米袋の底抜けを防止することができ、強度及び安全性に優れた米袋とすることができる。
また、米袋が折畳未使用状態である場合に、米袋の厚みを小さくすることができ、米袋が嵩張らないようにすることができる。
【考案を実施するための最良の形態】
【０００６】
図１及び図２に於て、本考案の実施の形態に係る米袋の使用状態を示す。この実施形態に係る米袋は、一般家庭で使用される米28を収納するための小売り用のものである。また、米袋は、小売り用の中でも、家で米袋内の米28を他の容器に移すときに使用する上方開口部２を、紐３にて閉じる構造のものを示している。
この米袋は、折畳未使用状態で流通される。そして、流通過程に於て、米屋や卸業者等の業者によって、（後述のように）米が投入される。
【０００７】
図３は、折畳未使用状態の米袋を示す斜視図である。また、図４は、米袋の底部の要部拡大斜視図である。この米袋は、図１〜図４に示すように、角筒状の袋本体１の上部側に設けられた上方開口部２を紐３にて結束して閉じて形成される取手部４と、袋本体１の底部側に設けられると共に米を投入可能な下方開口部５と、下方開口部５を貼着にて閉鎖する閉鎖底蓋部６と、を備える。
【０００８】
袋本体１は、例えばクラフト紙等の紙で形成されたものであり、折畳未使用状態では、袋側面12が谷折り状に折り畳まれる。また、袋本体１の袋前面24側下方には、米の品質を確認するために内部が見えるように、袋本体１を長円形に切欠くことによって窓部25が形成されている。この窓部25の位置には、米袋内部の米が外部にこぼれないように、透明又は半透明のフィルム部材34が付設されている。
取手部４は、業者が米袋を納入した段階において、予め形成された状態となっている。また、取手部４は、この部分を持って米袋の持ち運びが容易となるような形状に形成されている。取手部４の形状は、袋本体１の上部の折曲げ方や、袋本体１の上部に接着にて水平方向に取り付けられた紐３の結び方を変更することによって、種々、設定することができる。図１に示すように、袋本体１の上部を三角山状となるように折り曲げると共に、紐３を蝶結びにして、上方開口部２を閉じた場合を例示している。
【０００９】
図３〜図５に於て、閉鎖底蓋部６は、米を支持する補強支持蓋部14と、展開使用状態で補強支持蓋部14に外側から貼着されて下方開口部５を塞ぐ外蓋部19と、を有している。
補強支持蓋部14は、例えばボール紙等の厚手の紙にて形成され、折畳未使用状態で折り畳まれると共に展開使用状態で相互に係合されて米支持面15を形成する一対の係合壁面部16，16を有している。また、補強支持蓋部14は、図４に示すように、係合壁面部16，16に連設されると共に袋本体１の（展開使用状態で矩形状の）下方開口部５を形成する内周壁面８に沿って接着された側面部22を有している。
【００１０】
より詳しく説明すると、各係合壁面部16は、図４及び図５に示すように、袋側面12側に位置する側面部22とつながる三角状部29と、係合部18と、を有している。谷折り状に折り畳まれる袋本体１の袋側面12の動きに追従して三角状部29が折曲げ線Ａに沿って折曲げられて、各係合壁面部16は、袋本体１の内周壁面８に沿うように折り畳まれる構造となっている。また、展開使用状態では、係合部18が相手の係合壁面部16に係合される構造となっている。
【００１１】
外蓋部19は、袋本体１と同じクラフト紙等の紙で形成され、略矩形状とされている。また、外蓋部19は、折畳未使用状態では、予め、四辺のうち一辺側が袋本体１の袋後面26と（接着等にて）接続された状態とされている。
また、外蓋部19には、展開使用状態で補強支持蓋部14（係合壁面部16，16）と対向する側に、外蓋部19のほぼ全面に渡って、貼着領域部９が設けられている。この貼着領域部９には、粘着両面テープ等の粘着層を有する部材が付設されている。この貼着領域部９は、折畳未使用状態では、剥離紙27にて表面が保護されているが、展開使用状態では、補強支持蓋部14（係合壁面部16，16）のほぼ全面に渡って貼着されて下方開口部５を完全に塞ぐように構成されている。展開使用状態では、補強支持蓋部14と外蓋部19は貼着により一体状となって、米袋に収納された米の重量を支える構造となっている。
【００１２】
次に、図１〜図４を参照して、上述した実施形態に係る米袋の使用説明を行なう。
米袋は、図３に示すような折畳未使用状態で流通されている。そして、その流通過程に於て、米屋や卸業者等によって、折畳未使用状態の米袋内部に米が投入される。
具体的にこのときの作業を説明すると、まず、図４に示すように、折り畳まれた米袋を広げて（図４の矢印Ｃ方向）、下方開口部５から内部に米28を投入する。
そして、補強支持蓋部14の一対の係合壁面部16，16を、相互に係合させて米支持面15を形成する。
その後、外蓋部19の剥離紙27を剥がして、外蓋部19の貼着領域部９の部分を、補強支持蓋部14（係合壁面部16，16）の外側から補強支持蓋部14（係合壁面部16，16）のほぼ全面に渡って貼着して下方開口部５を完全に塞ぐ。
これにより、米28が米袋に収納された状態となる。そして、その状態で、小売り用の米袋として米屋の店頭に並べられる。
【００１３】
そして、米屋で米28が収納された米袋を購入した客は、取手部４を持って、家まで米袋を運ぶ。
家で米袋内部の米を取り出したり他の容器に移すときには、その都度、紐３を緩めて上方開口部２から米を取り出した後、紐３で上方開口部２を結束して閉じる作業を行なう。これにより、米袋内部へのゴミ（虫）の侵入を防止して、米の品質が低下するのを防止する。
【００１４】
なお、本考案は、上述の実施の形態に限定されず、本考案の要旨を逸脱しない範囲で設計変更可能である。例えば、袋本体１は、クラフト紙等の紙で形成されたものに限るのではなく、布製とするも好ましい。
また、補強支持蓋部14は、ボール紙等の厚手の紙にて形成されたものに限るのではなく、プラスチックにて形成するも好ましい。
また、取手部４は、袋本体１の上部を三角山状となるように折り曲げると共に紐３を蝶結びにして上方開口部２を閉じたものに限るのではなく、図６に示すような形状とするも好ましい。
【００１５】
また、閉鎖底蓋部６（外蓋部19）は、予め袋本体１と接続されたものに限るのではなく、袋本体１と別体とするも自由である。
また、係合壁面部16，16の形状は、図５に示したものに限るのではなく、他の形状とするも自由である。また、係合壁面部16，16の数を変更するも自由である。
【００１６】
以上のように本考案に係る米袋は、袋本体１の上部側に設けられた上方開口部２を紐３にて結束して閉じて形成される取手部４と、袋本体１の底部側に設けられると共に米を投入可能な下方開口部５と、下方開口部５を貼着にて閉鎖する閉鎖底蓋部６と、を備えるので、折畳未使用状態の米袋内部に米を投入する際に、上方開口部２を紐３にて結束して閉じる作業を行なわなくて済むように構成することできる。これにより、米屋や卸業者等の業者は、予め紐３が結束された折畳未使用状態の米袋を納入することによって、米を米袋内部に投入して小売り用の米袋とする作業を容易に行うことができる。その結果、従来、米袋の紐３を結束する必要があった業者の作業負担を低減することができ、作業時間の短縮と人件費の削減を図ることができる。
【００１７】
さらに、閉鎖底蓋部６は、米を支持する補強支持蓋部14と、展開使用状態で補強支持蓋部14に外側から貼着されて下方開口部５を塞ぐ外蓋部19と、を有し、補強支持蓋部14は、折畳未使用状態で折り畳まれると共に展開使用状態で相互に係合されて米支持面15を形成する係合壁面部16，16を有するので、米袋に下方開口部５を設け、閉鎖底蓋部６の貼着にて下方開口部５を貼着により閉鎖する構造とすることによって、強度が弱くなりがちな米袋の底部の強度を向上させることができる。これにより、米袋に収納された米の重量による米袋の底抜けを防止することができる。その結果、強度及び安全性に優れた米袋とすることができる。
また、折畳未使用状態で折り畳まれる係合壁面部16，16を有するので、米袋が折畳未使用状態である場合に、米袋の厚みを小さくすることができ、米袋が嵩張らないようにすることができる。その結果、保管が容易な米袋とすることができる。
【図面の簡単な説明】
【００１８】
【図１】本考案の実施の形態に係る米袋の展開使用状態を示す斜視図である。
【図２】使用状態を示す斜視図である。
【図３】本考案の米袋の折畳未使用状態を示す斜視図である。
【図４】米袋の底部の要部拡大斜視図である。
【図５】本考案の米袋を示す図であって、（Ａ）は底面図、（Ｂ）は要部底面図であ    る。
【図６】取手部の他の形状を示す米袋の斜視図である。
【符号の説明】
【００１９】
１  袋本体
２  上方開口部
３  紐
４  取手部
５  下方開口部
６  閉鎖底蓋部
14  補強支持蓋部
15  米支持面
16  係合壁面部
19  外蓋部
【図１】
0003110626.tif 000003
【図２】
0003110626.tif 000004
【図３】
0003110626.tif 000005
【図４】
0003110626.tif 000006
【図５】
0003110626.tif 000007
【図６】
0003110626.tif 000008